(57)【要約】      （修正有）【課題】位置調整機構を備え、大型で重いディスプレイの支持に十分な強度を持ち、比較的単純な構造のディスプレイ取り付け装置を提供する。【解決手段】壁取り付け具１、ディスプレイ取り付け具３、位置調整機構で構成され、位置調整機構は、第１、第２の連結ユニット４、５と壁取り付け具１に接続される支持ユニット２を具備する。第１、第２の連結ユニットは、それぞれ、ディスプレイ取り付け具および支持ユニットに設けられ、上部連結具４１、５１と下部連結具４２、５２を備える。第２の連結ユニット５の上部連結具５１と下部連結具５２は協調して同一円周上に位置する円弧状トラック５００を規定する。第１の連結ユニット４の上部連結具４１と下部連結具４２は、第２の連結ユニット５の上部連結具５１と下部連結具５２上を円弧状トラック５００に沿って共に摺動可能に取り付けられる。【選択図】図１
0003154448.tif 000002
【実用新案登録請求の範囲】
【請求項１】
壁取り付け具（１）と、
前記壁取り付け具から離れた位置に設けられ、ディスプレイの取り付けに適したディスプレイ取り付け具（３）と、
前記壁取り付け具（１）と前記ディスプレイ取り付け具（３）の間に設けられ、前記壁取り付け具（１）と前記ディスプレイ取り付け具（３）を相互に接続する位置調整機構と、
を具備し、
前記位置調整機構は、第１および第２の連結ユニット(４、５）、および、前記壁取り付け具（１）に接続される支持ユニット（２）を具備し、
前記第１および前記第２の連結ユニット(４、５）は、それぞれ、前記ディスプレイ取り付け具（３）および前記支持ユニット（２）に設けられ、
前記第１および前記第２の連結ユニット(４、５）は、それぞれ、上部連結具および下部連結具（４１、４２、５１、５２）を備え、
前記第１および第２の連結ユニット（４、５）の一方の前記上部連結具および前記下部連結具（４１、４２、５１、５２）は、協調して同一円周上に位置する円弧状トラック(５００)を規定し、
前記第１および第２の連結ユニット(４、５）の他方の前記上部連結具および前記下部連結具（４１、４２、５１、５２）は、前記円弧状トラック（５００）に沿って前記第１および第２の連結ユニット（４、５）の前記一方に対して共に摺動可能になるように、かつ、前記壁取り付け具（１）に対する前記ディスプレイ取り付け具（３）の傾きを調整可能になるように、前記第１および第２の連結ユニット（４、５）の前記一方の前記上部連結具および前記下部連結具（４１、４２、５１、５２）上に摺動可能に取り付けられることを特徴とするディスプレイ取り付け装置。
【請求項２】
前記第１および第２の連結ユニットの一方の連結ユニット（５）の前記上部連結具および下部連結具（５１、５２）は、上部弧状スロットおよび下部弧状スロット（５１２、５２２）をそれぞれ規定する上部スロット規定壁および下部スロット規定壁（５１１、５２１）を具備し、
前記上部スロット規定壁および下部スロット規定壁（５１１、５２１）は、協調して前記円弧状トラック５００を規定し、
前記第１および第２の連結ユニットの他方の連結ユニット（４）の前記上部連結具および下部連結具（４１、４２）は、それぞれ、左部材（４１１、４２１）および右部材（４１２、４２２）を具備し、
左部材（４１１、４２１）と右部材（４１２、４２２）は、それぞれ、対応する前記上部スロット規定壁または下部スロット規定壁（５１１、５２１）の反対側に位置し、
前記位置調整機構は、更に、上部ボルトおよび下部ボルト（６１、６２）を具備し、
前記上部ボルトおよび下部ボルト（６１、６２）は、それぞれ、前記第１および第２の連結ユニットの前記他方の連結ユニット（４）の前記上部連結具または下部連結具（４１、４２）の前記左部材（４１１、４１２）から、前記第１および第２の連結ユニットの前記一方の連結ユニット（５）の前記上部連結具または下部連結具（５１、５２）の前記上部弧状スロットおよび下部弧状スロット（５１２、５２２）を介して、第１および第２の連結ユニットの前記他方の連結ユニット（４）の前記上部連結具または下部連結具（４１、４２）の前記右部材（４１２、４２２）まで貫通して伸長し、
前記上部ボルトおよび下部ボルト（６１、６２）は、それぞれ、第１および第２の連結ユニットの前記他方の連結ユニット（４）の上部連結具４１および下部連結具４２の前記左部材（４１１、４２１）と右部材（４１２、４２２）の一方に螺入して係合することを特徴とする請求項１記載のディスプレイ取り付け装置。
【請求項３】
前記位置調整機構は、更に、上部締め付け具および下部締め付け具を具備し、
前記上部締め付け具および前記下部締め付け具は、それぞれ、１対の締め付けブシュ（６３）で構成され、対応する前記上部スロット規定壁または前記下部スロット規定壁（５１１、５２１）を挟んだ両側に設けられ、
前記締め付けブシュ（６３）は、それぞれ、小径端部（６３１）を持ち、
前記上部締め付け具および前記下部締め付け具の各前記締め付けブシュ６３は、それぞれ、前記上部ボルトまたは下部ボルト（６１、６２）のスリーブとなり、前記各小径端部（６３１）の部分が前記上部弧状スロットおよび下部弧状スロット（５１２、５２２）にプレス嵌めされ、前記壁取り付け具（１）に対して前記ディスプレイ取り付け具（３）を所望の角度に保持することを特徴とする請求項２記載のディスプレイ取り付け装置。
【請求項４】
前記第２の連結ユニット（５）が前記円弧状トラック（５００）を規定することを特徴とする請求項２記載のディスプレイ取り付け装置。
【請求項５】
前記ディスプレイ取り付け具（３）は、フレーム材（３１）を具備し、
前記第１の連結ユニット（４）が、前記フレーム材（３１）上で摺動可能に取り付けられることを特徴とする請求項４記載のディスプレイ取り付け装置。
【請求項６】
前記第２の連結ユニット（５）が前記支持ユニット（２）に対して回転可能に取り付けられることを特徴とする請求項４記載のディスプレイ取り付け装置。
【請求項７】
前記支持ユニット（２）は、１対の連結部（２１、２２）を具備し、
前記連結部（２１、２２）は、壁取り付け具（１）に接続され、ディスプレイ取り付け具（３）方向に伸長し、
前記連結部（２１、２２）は、それぞれ、端部にそれぞれ管状旋回軸（２１１１、２２１１）が設けられた支持アーム（２１１、２２１）を具備し、
前記連結部（２１、２２）の支持アーム（２１１、２２１）の管状旋回軸（２１１１、２２１１）は上下に積載され、
前記第２の連結ユニット（５）の前記上部連結具および下部連結具（５１、５２）は、更に、前記上部スロット規定壁および下部スロット規定壁（５１１、５２１）からそれぞれ伸長した上部円筒部および下部円筒部（５１３、５２３）を具備し、それぞれ、前記連結部（２１、２２）の前記支持アーム（２１１、２２１）の前記管状旋回軸（２１１１、２２１１）に挿嵌され、前記第２の連結ユニット（５）を前記支持ユニット（２）に対して回転可能にすることを特徴とする請求項６記載のディスプレイ取り付け装置。
【請求項８】
前記連結部（２１、２２）のそれぞれの前記支持アーム（２１１、２２１）は、更に、前記管状旋回軸（２１１１、２２１１）と反対の端部に連結端（２１１２、２２１２）を備え、
前記連結部（２１、２２）は、それぞれ、更に、前記支持アーム（２１１、２２１）の前記連結端（２１１２、２２１２）に対して旋回する連結アーム（２１２、２２２）を備え、
前記連結アーム（２１２、２２２）のもう一方の端部は、前記壁取り付け具（１）に対し旋回し、前記ディスプレイ取り付け具（３）を前記壁取り付け具（１）に対して接近または遠ざけることを可能にすることを特徴とする請求項７記載のディスプレイ取り付け装置。
【請求項９】
前記ディスプレイ取り付け具（３）は、取り付け板（３１’）であり、前記第１の連結ユニット（４）が前記取り付け板（３１’）に固定されることを特徴とする請求項４記載のディスプレイ取り付け装置。
【考案の詳細な説明】
【技術分野】
【０００１】
本考案はディスプレイ取り付け装置（ｄｉｓｐｌａｙ  ｍｏｕｎｔｉｎｇ  ａｓｓｅｍｂｌｙ）に関し、更に詳しくは、ディスプレイ取り付け具の、壁取り付け具に対する傾きを調整するための位置調整機構を含むディスプレイ取り付け装置に関する。
【背景技術】
【０００２】
特許文献１は、壁に取り付けるための壁取り付け用部品と、壁取り付け用部品の前側に取り付けてディスプレイを支持するためのディスプレイ取り付け用部品から成る従来のディスプレイ取り付け装置について開示している。このディスプレイ取り付け用部品は、一組のギアと、それぞれのギアが係合する一組のスプリングアームラチェット（ｓｐｒｉｎｇ  ａｒｍ  ｒａｔｃｈｅｔ）によって壁取り付け用部品に対して傾きを保つように調整可能である。
【先行技術文献】
【特許文献】
【０００３】
【特許文献１】台湾実用新案登録第５４０７８８号公報
【考案の概要】
【考案が解決しようとする課題】
【０００４】
しかしながら、ディスプレイ取り付け用部品の傾きを調整する調整機構はかなり複雑であり、また、大型で重量のあるディスプレイに対しては、それを支持する強度を提供できない。
【０００５】
本考案は、上記の問題に鑑みてなされたもので、位置調整機構を備え、大型で重量のあるディスプレイを支持するのに十分な強度を持ち、比較的単純な構造のディスプレイ取り付け装置を提供することを目的とする。
【課題を解決するための手段】
【０００６】
前述した目的を達成するための本考案は、壁取り付け具と、前記壁取り付け具から離れた位置に設けられ、ディスプレイの取り付けに適したディスプレイ取り付け具と、前記壁取り付け具と前記ディスプレイ取り付け具の間に設けられ、前記壁取り付け具と前記ディスプレイ取り付け具を相互に接続する位置調整機構と、を具備し、前記位置調整機構は、第１および第２の連結ユニット、および、前記壁取り付け具に接続される支持ユニットを具備し、前記第１および前記第２の連結ユニットは、それぞれ、前記ディスプレイ取り付け具および前記支持ユニットに設けられ、前記第１および前記第２の連結ユニットは、それぞれ、上部連結具および下部連結具を備え、前記第１および第２の連結ユニットの一方の前記上部連結具および前記下部連結具は、協調して同一円周上に位置する円弧状トラックを規定し、前記第１および第２の連結ユニットの他方の前記上部連結具および前記下部連結具は、前記円弧状トラックに沿って前記第１および第２の連結ユニットの前記一方に対して共に摺動可能になるように、かつ、前記壁取り付け具に対する前記ディスプレイ取り付け具の傾きを調整可能になるように、前記第１および第２の連結ユニットの前記一方の前記上部連結具および前記下部連結具上に摺動可能に取り付けられることを特徴とするディスプレイ取り付け装置である。
【考案の効果】
【０００７】
本考案により、ディスプレイと壁の傾きや位置を調整可能であり、大型で重量のあるディスプレイを支持するのに十分な強度を持ち、比較的単純な構造のディスプレイ取り付け装置を提供することが可能になる。
【図面の簡単な説明】
【０００８】
【図１】本考案の第１の実施形態に係るディスプレイ取り付け装置の背面視斜視図
【図２】本考案の第１の実施形態に係るディスプレイ取り付け装置の正面視斜視図
【図３】本考案の第１の実施形態に係るディスプレイ取り付け装置の分解斜視図
【図４】本考案の第１の実施形態に係るディスプレイ取り付け装置の概略側面図
【図５】本考案の第１の実施形態に係るディスプレイ取り付け具が壁取り付け具に対して第１の傾斜角をなす状態を示す概略側面図
【図６】本考案の第１の実施形態に係るディスプレイ取り付け具が壁取り付け具に対して第２の傾斜角をなす状態を示す概略側面図
【図７】本考案の第１の実施形態に係るディスプレイ取り付け具の回転機構を示す概略上面図
【図８】本考案の第１の実施形態に係るディスプレイ取り付け具が壁取り付け具近傍に位置する状態を示す概略上面図
【図９】本考案の第２の実施形態に係るディスプレイ取り付け装置の斜視図
【図１０】本考案の第３の実施形態に係るディスプレイ取り付け装置の概略側面図
【考案を実施するための形態】
【０００９】
実施形態を参照して本考案を詳述する前に、同種の構成要素については本明細書内において同一の参照番号で示すことを書き留めておく。
【００１０】
図１、図２、図３、図４は、壁にディスプレイを取り付けるための本考案の第１の実施形態に係るディスプレイ取り付け装置の説明図である。
【００１１】
ディスプレイ取り付け装置は、壁取り付け具１、および、ディスプレイ取り付け具３、位置調整機構から構成される。ディスプレイ取り付け具３は、壁取り付け具１の前面に壁取り付け具１から離れた位置に設けられ、ディスプレイ（図示しない）の取り付けに適する。位置調整機構は、壁取り付け具１とディスプレイ取り付け具３の間に設けられ、壁取り付け具１とディスプレイ取り付け具３を相互に接続する。
【００１２】
位置調整機構は、第１および第２の連結ユニット４、５と、壁取り付け具１に連結される支持ユニット２で構成される。第１の連結ユニット４はディスプレイ取り付け具３上に、第２の連結ユニット５は支持ユニット２上に設けられる。
第１および第２の連結ユニット４、５は、それぞれ、上部連結具４１、５１と、下部連結具４２、５２を具備する。
【００１３】
第２の連結ユニット５の上部連結具５１および下部連結具５２は協調して同一円周上に位置する円弧状トラック５００を規定する。第１の連結ユニット４の上部連結具４１および下部連結具４２は、円弧状トラック５００に沿って第２の連結ユニット５に対して共に摺動可能になるように、また、壁取り付け具１に対するディスプレイ取り付け具３の傾きが調整可能になるように、第２の連結ユニット５の上部連結具５１および下部連結具５２上に摺動可能に取り付けられる。
【００１４】
図５は、ディスプレイ取り付け具３が壁取り付け具１に対して第１の傾斜角をなす状態を示す図である。これは、ディスプレイ取り付け具３上端と壁取り付け具１との距離が、ディスプレイ取り付け具３下端と壁取り付け具１との距離よりも小さい場合である。
図６は、ディスプレイ取り付け具３が壁取り付け具１に対して第２の傾斜角をなす図である。図６は、図５とは反対の状態を示す図であり、ディスプレイ取り付け具３上端と壁取り付け具１との距離が、ディスプレイ取り付け具３下端と壁取り付け具１との距離よりも大きい場合である。
【００１５】
本実施の形態では、第２の連結ユニット５の上部連結具５１と下部連結具５２は、上部スロット規定壁５１１と下部スロット規定壁５２１を備え、それぞれ、上部弧状スロット５１２と下部弧状スロット５２２を規定する。上部スロット規定壁５１１と下部スロット規定壁５２１は、協調して同一円周上に位置する円弧状トラック５００を規定し、壁取り付け具１に対するディスプレイ取り付け具３の傾斜角を前述の第１の傾斜角と第２の傾斜角の範囲になるよう制限する。
【００１６】
第１の連結ユニット４の上部連結具４１は、左部材４１１と右部材４１２を備える。第２の連結ユニット４の下部連結具４２は、左部材４２１、右部材４２２を備える。上部連結具４１の左部材４１１、右部材４１２は上部スロット規定壁５１１を挟んだ両側に、下部連結具４２の左部材４２１、右部材４２２は下部スロット規定壁５２１を挟んだ両側に配置される。
上部連結具４１の左部材４１１および下部連結具４２の左部材４２１は、互いに結合され一体化している。また、上部連結具４１の右部材４１２および下部連結具４２の右部材４２２も、互いに結合され一体化している。
【００１７】
位置調整機構は、更に、上部ボルト６１および下部ボルト６２を備える。上部ボルト６１は、第１の連結ユニット４の上部連結具４１の左部材４１１を貫通して右部材４１２まで伸び、その間で第２の連結ユニット５の上部連結具５１の上部弧状スロット５１２を貫通する。下部ボルト６２は、第１の連結ユニット４の下部連結具４２の左部材４２１を貫通して右部材４２２まで伸び、その間で第２の結合部５の下部連結具５２の下部弧状スロット５２２を貫通する。ボルト６１、６２は、それぞれ、第１の連結ユニット４の上部連結具４１の右部材４１２、および下部連結具４２の右部材４２２に螺入して係合する（ｅｎｇａｇｅ  ｔｈｒｅａｄｅｄｌｙ）。
【００１８】
位置調整機構は、更に、上部締め付け具と下部締め付け具を備え、それぞれ、１対の締め付けブシュ６３が、対応する上部スロット規定壁５１１または下部スロット規定壁５２１を挟んだ両側に位置する。各締め付けブシュ６３は、耐摩耗性のプラスチック材製で、小径端部６３１を持つ。
上部締め付け具と下部締め付け具のそれぞれ１対の締め付けブシュ６３は、それぞれ、上部および下部ボルト６１、６２のスリーブとなり、それぞれ、小径端部６３１の部分が上部弧状スロット５１２および下部弧状スロット５２２にプレス嵌めされる（ｂｅ  ｐｒｅｓｓ  ｆｉｔｔｅｄ）。これによって、壁取り付け具１に対してディスプレイ取り付け具３を所望の角度に保持することを可能にする。
【００１９】
本実施形態において、ディスプレイ取り付け具３はフレーム部３１を備える。フレーム部３１は上部および下部フレーム材３１１、３１２を備える。第１の連結ユニット４の上部および下部連結具４１、４２は、それぞれ、フレーム部３１の上部フレーム材３１１、下部フレーム材３１２に摺動可能に取り付けられる。
【００２０】
本実施形態において、第２の連結ユニット５は支持ユニット２に回転自在に取り付けられる。
支持ユニット２は、１対の連結部２１、２２を有する。連結部２１、２２は壁取り付け具１に接続され、そこからディスプレイ取り付け具３方向に伸びた形状を採る。連結部２１、２２は、それぞれ、支持アーム２１１、２２１を備える。支持アーム２１１、２２１はその端部にそれぞれ管状旋回軸２１１１、２２１１を有する。連結部２１、２２の支持アーム２１１、２２１の管状旋回軸２１１１、２２１１は上下に積載される。
【００２１】
第２の連結ユニット５の上部および下部連結具５１、５２は互いに締め付け部材によって固定され、更に、上部スロット規定壁５１１および下部スロット規定壁５２１からそれぞれ伸長した上部円筒部５１３および下部円筒部５２３を有し、それぞれ、連結部２１、２２の支持アーム２１１、２２１の管状旋回軸２１１１、２２１１に挿嵌される。これによって、第２の連結ユニット５は支持ユニット２に対して上部円筒部５１３および下部円筒部５２３の中心軸の周りに回転可能となる。
上部円筒部５１３および下部円筒部５２３の中心軸は、上部および下部ボルト６１、６２の軸方向に平行な円弧状トラック５００の軸とは垂直に設けられる。
【００２２】
図７および図３は、ディスプレイ取り付け具３が第２の連結ユニット５とともに、支持ユニット２および壁取り付け具１に対して上部円筒部５１３および下部円筒部５２３の中心軸を軸として回転する機構について図示している。
【００２３】
連結部２１、２２のそれぞれの支持アーム２１１、２２１は、更に、管状旋回軸２１１１、２２１１と反対の端に連結端２１１２、２２１２を備える。連結部２１、２２は、それぞれ、更に、一方の端部が支持アーム２１１、２２１の連結端２１１２、２２１２に対して旋回し、もう一方の端部が壁取り付け具１に対し旋回する連結アーム２１２、２２２を備える。これによって、ディスプレイ取り付け具３を壁取り付け具１に対して、上部円筒部５１３および下部円筒部５２３の中心軸および円弧状トラック５００の軸に垂直の方向に近づけたり離したりすることを可能にする。
図７および図８は、それぞれ、ディスプレイ取り付け具３が壁取り付け具１に対して遠い位置および近い位置に配置された状態を示す図である。
【００２４】
図９は、本考案の第２の実施形態に係るディスプレイ取り付け装置を示す図である。
第２の実施形態に係るディスプレイ取り付け装置と第１の実施形態の係るディスプレイ取り付け装置との相違点は、第２の実施形態に係るディスプレイ取り付け装置のディスプレイ取り付け具３にディスプレイを固定手段（図示しない）で取り付けるための取り付け板３１’の形状にある。第１の連結ユニット４は取り付け板３１’に複数の締結部品によって固定される。
【００２５】
図１０は、本考案の第３の実施形態に係るディスプレイ取り付け装置を示す図である。
第３の実施形態に係るディスプレイ取り付け装置と、第１、第２の実施形態に係るディスプレイ取り付け装置との相違点は、第３の実施形態に係るディスプレイ取り付け装置の支持ユニット２が、壁取り付け具１およびディスプレイ取り付け具３と固定するための単一の連結具２５で構成される点である。第２の連結ユニット５は、連結具２５に固定される。
【００２６】
本考案のディスプレイ取り付け装置は、第１の連結ユニット４および第２の連結ユニット５を備えることにより、前述した従来のディスプレイ取り付け装置に係る問題点を解決することが可能である。
【符号の説明】
【００２７】
１………壁取り付け具（wall bracket）
３………ディスプレイ取り付け具(display-mounting bracket)
２………支持ユニット(supporting unit)
４………第１の連結ユニット(first connecting unit)
５………第２の連結ユニット(second connecting unit)
２１、２２………連結部(linkage)
３１………フレーム材(flame part)
３１’………取り付け板（mounting plate）
４１、５１………上部連結具(upper connector)
４２、５２………下部連結具(lower connector)
６１、６２………ボルト(bolt)
６３………締め付けブシュ(tightening bush)
２１１、２２１………支持アーム(holding arm)
２１２、２２２………連結アーム(connecting arm)
３１１、３１２………フレーム材(flame bar)
４１１、４２１………左部材(left half)
４１２、４２２………右部材(right half)
５００………円弧状トラック（circumferentially extending track）
５１１、５２１………スロット規定壁（slot-defining wall）
５１２、５２２………弧状スロット(arcuate slot)
６３１………小径端部（diameter-reduced end portion）
２１１１、２２１１………管状旋回軸(tubular pivot end)
２１１２、２２１２………連結端(connecting end)
【図１】
0003154448.tif 000003
【図２】
0003154448.tif 000004
【図３】
0003154448.tif 000005
【図４】
0003154448.tif 000006
【図５】
0003154448.tif 000007
【図６】
0003154448.tif 000008
【図７】
0003154448.tif 000009
【図８】
0003154448.tif 000010
【図９】
0003154448.tif 000011
【図１０】
0003154448.tif 000012
【手続補正書】
【提出日】平成21年6月23日(2009.6.23)
【手続補正３】
【補正対象書類名】実用新案登録請求の範囲
【補正対象項目名】請求項２
【補正方法】変更
【補正の内容】
【請求項２】
前記第１および第２の連結ユニットの一方の連結ユニット（５）の前記上部連結具および下部連結具（５１、５２）は、上部弧状スロットおよび下部弧状スロット（５１２、５２２）をそれぞれ規定する上部スロット規定壁および下部スロット規定壁（５１１、５２１）を具備し、
前記上部スロット規定壁および下部スロット規定壁（５１１、５２１）は、協調して前記円弧状トラック５００を規定し、
前記第１および第２の連結ユニットの他方の連結ユニット（４）の前記上部連結具および下部連結具（４１、４２）は、それぞれ、左部材（４１１、４２１）および右部材（４１２、４２２）を具備し、
左部材（４１１、４２１）と右部材（４１２、４２２）は、それぞれ、対応する前記上部スロット規定壁または下部スロット規定壁（５１１、５２１）の反対側に位置し、
前記位置調整機構は、更に、上部ボルトおよび下部ボルト（６１、６２）を具備し、
前記上部ボルトおよび下部ボルト（６１、６２）は、それぞれ、前記第１および第２の連結ユニットの前記他方の連結ユニット（４）の前記上部連結具または下部連結具（４１、４２）の前記左部材（４１１、４２１）から、前記第１および第２の連結ユニットの前記一方の連結ユニット（５）の前記上部連結具または下部連結具（５１、５２）の前記上部弧状スロットおよび下部弧状スロット（５１２、５２２）を介して、第１および第２の連結ユニットの前記他方の連結ユニット（４）の前記上部連結具または下部連結具（４１、４２）の前記右部材（４１２、４２２）まで貫通して伸長し、
前記上部ボルトおよび下部ボルト（６１、６２）は、それぞれ、第１および第２の連結ユニットの前記他方の連結ユニット（４）の上部連結具４１および下部連結具４２の前記左部材（４１１、４２１）と右部材（４１２、４２２）の一方に螺入して係合することを特徴とする請求項１記載のディスプレイ取り付け装置。